(57)【特許請求の範囲】
【請求項１】
被酸化性金属、活性炭及び水を備える発熱部と、
少なくとも一部が通気性であり、前記発熱部を収容する袋体と、
を有する温熱具であって、
該温熱具は、１−（５，５−ジメチルシクロヘキセン−１−イル）−４−ペンテン−１−オン及び２，４，４，７−テトラメチル−６−オクテン−３−オンから選択される１種又は２種の第１香料成分、並びに、テルペン系炭化水素及び芳香族アルコールから選択される１種又は２種以上の第２香料成分を含有する香料組成物にて賦香されており、
前記香料組成物中の前記第１香料成分の含有量が、該香料組成物全体に対して１質量％以上１５質量％以下であり、
前記香料組成物中の前記第２香料成分の含有量が、該香料組成物全体に対して５５質量％以上８５質量％以下である、温熱具。
【請求項２】
前記香料組成物中の前記第１香料成分の質量に対する前記発熱部中の前記活性炭の質量比が１０以上８００以下である、請求項１に記載の温熱具。
【請求項３】
前記香料組成物が前記袋体の内側から前記発熱部までの間に施されている、請求項１または２に記載の温熱具。
【請求項４】
前記発熱部が少なくとも一部に通気性を有する収容体内に収容されて発熱体を構成しており、前記袋体の内側から前記発熱部までの間に前記香料組成物が施されている、請求項３に記載の温熱具。
【請求項５】
前記香料組成物が前記収容体の外側面に施されている、請求項４に記載の温熱具。
【請求項６】
前記温熱具がさらに賦香シートを有し、前記香料組成物が前記賦香シートにて施されている、請求項１乃至５いずれか一項に記載の温熱具。
【請求項７】
前記賦香シートが前記香料組成物をシート材料に施したものである、請求項６に記載の温熱具。
【請求項８】
前記シート材料がセルロースを含有するものである、請求項７に記載の温熱具。
【発明の詳細な説明】
【技術分野】
【０００１】
本発明は、温熱具に関する。
【背景技術】
【０００２】
近年、被酸化性金属の酸化反応によって発熱する温熱具において、香料が施されることで使用時に芳香を呈するものが知られている。
【０００３】
例えば、特許文献１には、使用時の香り立ちがよく、保存中の香りの変質が起こりにくい香り付き温熱具が記載されている。
【先行技術文献】
【特許文献】
【０００４】
【特許文献１】特開２０１０−５１６９０号公報
【発明の概要】
【発明が解決しようとする課題】
【０００５】
しかしながら、本発明者らは、特許文献１の技術では、テルペン系炭化水素や芳香族アルコールを多量に含有した場合、保存により香りが変質することがあり、香気成分の種類や含有量の選択に制限があることを見出した。
【０００６】
本発明は、使用時における香りの持続性を高めつつ、テルペン系炭化水素や芳香族アルコールを含有する香料を用いた場合においても、保存中の香りの変質が起こりにくい温熱具に関する。
【課題を解決するための手段】
【０００７】
本発明者らは、特定のケトン系香料をごく少量含有した香料組成物で温熱具を賦香することで、使用時における香りの持続性が高く、かつ、香料組成物中にテルペン系炭化水素や芳香族アルコールを含有する場合においても、温熱具の保存中の香調の変化を抑制できることを見出した。
【０００８】
すなわち、本発明は、
被酸化性金属、活性炭及び水を備える発熱部と、
少なくとも一部が通気性であり、前記発熱部を収容する袋体と、
を有する温熱具であって、
該温熱具は、１−（５，５−ジメチルシクロヘキセン−１−イル）−４−ペンテン−１−オン及び２，４，４，７−テトラメチル−６−オクテン−３−オンから選択される１種又は２種の第１香料成分、並びに、テルペン系炭化水素及び芳香族アルコールから選択される１種又は２種以上の第２香料成分を含有する香料組成物にて賦香されており、
前記香料組成物中の前記第１香料成分の含有量が、該香料組成物全体に対して１質量％以上１５質量％以下である、温熱具
を提供するものである。
【発明の効果】
【０００９】
本発明によれば、香料組成物中にテルペン系炭化水素や芳香族アルコールを含有する場合においても、使用時における香りの持続性を高めつつ、保存中の香調の変化を抑制することができる。
【図面の簡単な説明】
【００１０】
【図１】実施の形態に係る温熱具を模式的に示した断面図である。
【図２】本発明の温熱具の一例である蒸気温熱具を示す平面図である。
【図３】図２に示す蒸気温熱具の分解斜視図である。
【図４】図２に示す蒸気温熱具の長手方向に沿う断面図である。
【図５】蒸気温熱具の別の例を示す断面図である。
【発明を実施するための形態】
【００１１】
以下、本発明の実施の形態について、図面を用いて説明する。尚、すべての図面において、同様な構成要素には同様の符号を付し、適宜説明を省略する。
【００１２】
図１は、本発明の温熱具の一例を示す模式的な断面図である。温熱具１は、被酸化性金属、活性炭及び水を備える発熱部１０と、発熱部１０を収容する袋体１１とを有する。温熱具１は、香料組成物により賦香されている。
【００１３】
温熱具１は、被酸化性金属の酸化反応によって発熱して十分な温熱効果を付与するものであり、ＪＩＳ規格Ｓ４１００による測定において、発熱温度４０℃以上６５℃以下の性能を有することができる。温熱具１は、水蒸気の発生を伴う蒸気温熱具であってもよいし、水蒸気の発生を実質的に伴わずに発熱する、いわゆる使い捨てカイロであってもよい。温熱具１は香料組成物により賦香されているため、使用時には、発熱とともに香料組成物により芳香する。
【００１４】
発熱部１０は、被酸化性金属、活性炭及び水を少なくとも含む発熱組成物を備える。
【００１５】
被酸化性金属は、酸化反応熱を発する金属であり、例えば、鉄、アルミニウム、亜鉛、マンガン、マグネシウム、及びカルシウムから選択される１種又は２種以上の粉末や繊維が挙げられる。これらの中でも取り扱い性、安全性、製造コストの点から鉄が好ましく、中でも鉄粉が好ましく用いられる。鉄粉としては、例えば、還元鉄粉、及びアトマイズ鉄粉から選択される１種又は２種以上が挙げられる。
【００１６】
被酸化性金属が粉末である場合、酸化反応が効率的に行われるという観点から、その平均粒径が１０μｍ以上であることが好ましく、より好ましくは２０μｍ以上であり、そして、２００μｍ以下が好ましく、より好ましくは、１５０μｍ以下である。また、１０〜２００μｍであることが好ましく、２０〜１５０μｍであることがより好ましい。
なお、被酸化性金属の粒径は、粉体の形態における最大長さをいい、篩による分級、動的光散乱法、レーザー回折法等により測定される。
【００１７】
被酸化性金属の含有量は、坪量で表して、１００ｇ／ｍ２以上であることが好ましく、より好ましくは２００ｇ／ｍ２以上であり、そして、３０００ｇ／ｍ２以下が好ましく、より好ましくは１５００ｇ／ｍ２である。また、１００〜３０００ｇ／ｍ２であることが好ましく、２００〜１５００ｇ／ｍ２であることがより好ましい。これにより、発熱部１０の発熱温度をより所望の温度に上昇させることができる。
ここで、発熱部１０中の鉄粉の含有量は、ＪＩＳ  Ｐ８１２８（１９９５年）に準じる灰分試験や、熱重量測定器で求めることができる。他に外部磁場を印加すると磁化が生じる性質を利用して振動試料型磁化測定試験等により定量することができる。
【００１８】
活性炭としては、好ましくは、椰子殻炭、木粉炭、及びピート炭から選択される１種又は２種以上の微細な粉末状物又は小粒状物が用いられる。中でも、保管時における香りの安定性の観点から、木粉炭が好ましい。
【００１９】
活性炭は、接触面積を広くして被酸化性金属と反応しやすい混合状態を形成する観点から、平均粒径が１０μｍ以上のものを用いることが好ましく、より好ましくは１２μｍ以上であり、そして、２００μｍ以下のものを用いることが好ましく、より好ましくは１００μｍ以下である。また、１０〜２００μｍのものを用いることが好ましく、１２〜１００μｍのものを用いることがより好ましい。
なお、活性炭の平均粒径は、粉体の形態における最大長さをいい、動的光散乱法、レーザー回折法等により測定される。
【００２０】
活性炭は粉体状の形態のものを用いることが好ましいが、粉体状以外の形態のものを用いることもでき、例えば、繊維状の形態のものを用いることもできる。
【００２１】
活性炭の含有量は、良好な発熱特性の観点及び保管時における香りの安定性の観点から、被酸化性金属１００質量部に対して６質量部以上が好ましく、より好ましくは８質量部以上であり、そして、１５質量部以下が好ましく、より好ましくは１３質量部以下である。また、６〜１５質量部が好ましく、より好ましくは８〜１３質量部である。
【００２２】
発熱部１０において発熱組成物は、更に反応促進剤を含むことができる。反応促進剤は、被酸化性金属の酸化反応を持続させる目的で用いられる。また、反応促進剤を用いることにより、酸化反応に伴い被酸化性金属に形成される酸化被膜を破壊して、酸化反応を促進することができる。
【００２３】
反応促進剤には、例えばアルカリ金属、アルカリ土類金属の硫酸塩、塩化物から選択される１種又は２種以上が挙げられる。中でも、導電性、化学的安定性、生産コストに優れる点から、塩化ナトリウム、塩化カリウム、塩化カルシウム、塩化マグネシウム、第１塩化鉄、第２塩化鉄等の各種塩化物、硫酸ナトリウムから選択される１種又は２種以上が用いられるが、中でも汎用性の観点から塩化ナトリウムが好ましい。
【００２４】
発熱部１０中の反応促進剤の含有量は、十分な発熱が得られる点から被酸化性金属１００質量部に対して１．４質量部以上とすることが好ましく、より好ましくは１．８質量部以上であり、そして、４．５質量部以下が好ましく、より好ましくは３．７質量部以下である。また、１．４〜４．５質量部が好ましく、より好ましくは１．８〜３．７質量部である。
【００２５】
発熱部１０において発熱組成物は、更に水を含んでいる。水は、被酸化性金属等と組み合わせて使用されることで発熱源として機能する。また、発熱に伴う温度上昇により水蒸気になる。
【００２６】
発熱部１０中の水の含有量は、被酸化性金属１００質量部に対して、２７質量部以上が好ましく、より好ましくは３５質量部以上であり、８３質量部以下が好ましく、７０質量部以下がより好ましい。また、２７〜８３質量部が好ましく、３５〜７０質量部がより好ましい。
【００２７】
発熱部１０は、例えば発熱シート又は発熱粉体からなる。発熱シート及び発熱粉体のうち、着用者がどのような姿勢であっても温熱を均一に適用し得る点や本発明の効果を十分発揮させる点等から、発熱シートを用いることが好ましい。また、発熱シートは、発熱粉体と比較して、発熱の温度分布を均一化することが容易であり、また、被酸化性金属の担持能力が優れている点からも本発明の効果を十分発揮させる点で有利である。発熱シートとしては、湿式抄造してなるもの、発熱粉体を紙等で挟持してなるもの、又は発熱粉体を水等に分散させたものを紙等に塗布してなるものが挙げられる。
【００２８】
ここでは、発熱部１０として、発熱シートのうち特に繊維シートと呼ばれる繊維を含有したシートと、塗布シートと呼ばれる発熱粉体を水等に分散させたものを紙等に塗布してなるものを用いた例について説明する。発熱シートのうち繊維シートは、被酸化性金属、活性炭、繊維状物、電解質及び水を含み、含水状態であることが好ましい。すなわち、繊維シートは、被酸化性金属、活性炭及び繊維状物を含有する成形シートに、電解質水溶液を含有させて構成されていることが好ましい。発熱シートのうち塗布シートは、被酸化性金属、活性炭、電解質及び水を含む発熱粉体水分散物を紙等に塗布したものであることが好ましい。このような発熱シートは、例えば特開２００３−１０２７６１号公報に記載の湿式抄造法や、ダイコーターを用いたエクストルージョン法を用いて製造することができる。
【００２９】
発熱シートは、一層であっても積層構造であってもよい。すなわち、発熱シートは、発熱シート自体が複数枚積層されたものであって良いし、あるいは、保水シート等が隣接して配され積層構造を成したものであっても良い。図１では、一例として、成形シート１０ａと、保水シート１０ｂとの二層構造の発熱シートを示す。成形シート１０ａには、被酸化性金属と活性炭を含むことができ、その含有量は、成形シート１０ａ中、被酸化性金属を６０質量％以上９０質量％以下、及び活性炭を５質量％以上２５質量％以下とすることができる。また、保水シート１０ｂは紙や、吸水性ポリマーが挟まれた紙が好ましい。
【００３０】
また、保水シート１０ｂは、成形シート１０ａの第２袋体シート１１ｂ側に配置させることが好ましい。保水シート１０ｂが介在することで香料組成物と発熱部１０との距離が遠くなるため、活性炭の影響を物理的に抑制することが可能であり好ましい。なお、第２袋体シート１１ｂについては後述する。
【００３１】
発熱部１０において発熱組成物には、必要に応じて、更に、増粘剤、界面活性剤、薬剤、凝集剤、着色剤、紙力増強剤、ｐＨ調整剤、嵩高剤等を含むこともできる。
【００３２】
袋体１１は、少なくも一部が通気性を有するが、少なくともその一部が通気性のシートであることが好ましい。保温、保存中の結露防止、必要な香り強度を長時間持続できること、及び、内部が透けて見えないようにすること等の観点から、坪量を２０ｇ／ｍ2以上、好ましくは２５ｇ／ｍ２以上、更に好ましくは３０ｇ／ｍ２以上とすることが好ましい。また、温熱具１の薄型化や軽量化を図り使用時の軽快さを向上させる観点や使用時の香りの立ち上がりが早くなる観点から坪量を９０ｇ／ｍ2以下、好ましくは８５ｇ／ｍ２以下、更に好ましくは８０ｇ／ｍ２以下とすることが好ましい。このようなシートとしては、例えば、不織布、編み物地、通気性シート（例えば、多孔質シート、通気孔を有するプラスチックフィルム）、不織布と通気性シートとをラミネートした積層シート、又は、編み物地と通気性シートとをラミネートした積層シートを用いることができる。
【００３３】
不織布としては、１種又は２種以上の繊維を用いて、エアスルー法、スパンボンド法、ニードルパンチ法、メルトブローン法、カード法、熱融着法、水流交絡法、溶剤接着法により製造されたものを用いることができる。特に、風合いや、弾力性の観点から、伸縮性を有する不織布を用いることが好ましい。伸縮性を有する不織布としては、構成繊維として弾性繊維（例えば、ポリウレタン、ポリエステル）や立体捲縮性繊維を含む不織布が好ましく、例えば、エアスルー不織布、スパンボンド不織布、又は、ニードルパンチ不織布が好ましい。
【００３４】
具体的な不織布の材料としては、ＰＥＴ（ポリエチレンテレフタレート）等のポリエステル、ＰＥ（ポリエチレン）、ＰＰ（ポリプロピレン）、エチレンプロピレン共重合体等のポリオレフィン、ポリアミド及びポリアクリルから選択される１種又は２種以上の合成繊維；セルロース、シルク、コットン及びウールから選択される１種又は２種以上を含む天然繊維；あるいはこれらを複合した繊維を用いることができる。
【００３５】
通気性シートとしては、樹脂製の多孔質シートや通気穴を有する樹脂製のシートを用いることができ、例えば、ポリエチレン、ポリプロピレン、エチレン酢酸ビニル共重合体等を使用することができる。その厚みは、５μｍ以上２００μｍ以下が好ましい。樹脂製の多孔質シートとしては、具体的には、熱可塑性樹脂及び該樹脂と相溶性のない有機又は無機のフィラーの溶融混練物をフィルム状に成形し、一軸又は二軸延伸して得られたものであり、微細な多孔質構造になっているものや、通気穴を有する樹脂製のシートとしては非通気性シートや難通気性シートに針等で微細穴を設けたものや、あるいは前述の通気性シートに更に針等で微細穴を設けたものが好ましい。
【００３６】
難通気性シートとしては、実質的に酸素を透過しないものであればよく、例えば、ポリエチレン、ポリブタジエン等のポリオレフィン、ポリ塩化ビニル、ポリ塩化ビリニリデン、ポリエステル、ポリエーテル、ポリスルフォン及びポリアミドから選択される１種又は２種以上を使用することができる。その厚みは、５μｍ以上２００μｍ以下が好ましい。
【００３７】
第１袋体シート１１ａ及び第２袋体シート１１ｂの坪量は、本発明の効果を十分発揮させる点及び保温・使用時の温感・使用感から、肌等の適用部位から遠い側の第２袋体シート１１ｂが適用部位に近い側の第１袋体シート１１ａと同じか又はそれよりも小さい方が好ましい。
【００３８】
第１袋体シート１１ａ及び第２袋体シート１１ｂの通気性は、本発明の効果を十分発揮させる点及び良好な発熱特性を奏させる観点から、肌に遠い側の第２袋体シート１１ｂが肌に近い側の第１袋体シート１１ａと同じか又はそれよりも低い方が好ましい。
【００３９】
図１には、第１袋体シート１１ａと、第２袋体シート１１ｂとの周縁部をシールすることで袋体１１を構成する例を示す。第１袋体シート１１ａ及び第２袋体シート１１ｂは同種のものでもよく、あるいは異種のものでもよい。第１袋体シート１１ａ及び第２袋体シート１１ｂのどちらか一方を通気性にしてもよいし、両方を通気性としてもよい。両方を通気性とする場合、どちらか一方をもう片方よりも通気性の低いものとしてもよい。
【００４０】
温熱具１の賦香に用いられる香料組成物は、１−（５，５−ジメチルシクロヘキセン−１−イル）−４−ペンテン−１−オン（Firmenich商品名：ダイナスコン）及び２，４，４，７−テトラメチル−６−オクテン−３−オン（登録商標：Claritone）から選択される１種又は２種のケトン系香料（第１香料成分）を含有する。第１香料成分の含有量は、使用時に香り立ちがよい観点から、香料組成物全体に対して１質量％以上であるが、１．１質量％以上が好ましく、より好ましくは３．１質量％以上であり、保存中に香調を維持できるという観点から、１５質量％以下であるが、１４．８質量％以下が好ましく、１３．５質量％以下がより好ましい。また、１〜１５質量％であるが、１．１〜１４．８質量％が好ましく、３．１〜１３．５質量％がより好ましい。
【００４１】
香料組成物中、第１香料成分として、少なくとも１−（５，５−ジメチルシクロヘキセン−１−イル）−４−ペンテン−１−オン又は２，４，４，７−テトラメチル−６−オクテン−３−オンのいずれか一方を含めばよいが、これら２種のケトン系香料を含むことが好ましい。
【００４２】
使用時において香りを持続させる観点から、１−（５，５−ジメチルシクロヘキセン−１−イル）−４−ペンテン−１−オンの含有量は、香料組成物全体に対して、好ましくは０．０１質量％以上であり、より好ましくは０．０５質量％以上であり、更に好ましくは０．１質量％以上であり、そして、好ましくは１質量％以下であり、より好ましくは０．７５質量％以下であり、更に好ましくは０．５質量％以下である。また、０．０１〜１質量％が好ましく、０．０５〜０．７５質量％以下がより好ましく、０．１〜０．５質量％が更に好ましい。
【００４３】
２，４，４，７−テトラメチル−６−オクテン−３−オンの含有量は、香料組成物全体に対して、好ましくは１質量％以上であり、より好ましくは２質量％以上であり、更に好ましくは３質量％以上であり、そして、好ましくは１５質量％以下であり、より好ましくは１４質量％以下であり、更に好ましくは１３質量％以下である。また、１〜１５質量％が好ましく、２〜１４質量％がより好ましく、３〜１３質量％が更に好ましい。
【００４４】
香料組成物に含有する第１香料成分に対する、発熱部１０中の活性炭の質量比（活性炭／第１香料成分）は、保存中の質的な香りの変化を抑制し、発熱を良好に保つという観点から、１０以上が好ましく、より好ましくは１３．５以上であり、更に好ましくは１８以上であり、保存中の量的な香りの変化を抑えつつ、香りの変化による質的な香りの変化を抑制する観点から８００以下であることが好ましく、７２０以下であることがより好ましく、５４０以下であることが更に好ましい。上記活性炭／第１香料成分の質量比は、１０〜８００とすることが好ましく、より好ましくは、１３．５〜７２０であり、１８〜５４０が更に好ましい。
【００４５】
温熱具１の賦香に用いられる香料組成物は、テルペン系炭化水素及び芳香族アルコールから選択される１種又は２種以上の第２香料成分を更に含む。テルペン系炭化水素及び芳香族アルコールから選択される１種又は２種以上の第２香料成分は、香料組成物全体に対して多量に含有されると、保存により香りが変質するものであるが、本発明では第１香料成分を併用することで、香料組成物中に第２香料を多量に含有させることが可能となった。すなわち、第２香料成分の含有量は、香料組成物全体に対して、５０質量％以上が好ましく、５５質量％以上がより好ましく、更に好ましくは６０質量％以上であり、８５質量％以下が好ましく、８０質量％以下がより好ましく、更に好ましくは７５質量％以下である。また、５５〜８５質量％が好ましく、５５〜８０質量％がより好ましく、６０〜７５質量％が更に好ましい。
【００４６】
第１香料成分に対する第２香料成分の質量比（第２香料成分／第１香料成分）は、５以上９０以下が好ましい。
【００４７】
テルペン系炭化水素としては、ミルセン、ファルネセン、シトラール等の鎖状テルペン系炭化水素；ピネン、リモネン、α−テルピネン、カンフェン、フェランドレン、ターピネン、ターピノレン、ｐ-サイメン、セドレン、カリオフィレン等の環状テルペン系炭化水素を用いることができる。これらは、１種又は２種以上を用いることができるが、少なくともリモネンを含むことが好ましい。リモネンの含有量は、第２香料成分全体に対して、８０質量％以上８５質量％以下が好ましい。
【００４８】
また、芳香族アルコールとしては、ベンジルアルコール、フェニルエチルアルコール、パンプルフルール（２−メチル−４−フェニルペンタノール）、ジメチルベンジルカルビノール及びフェニルヘキサノール（３−メチル−５−フェニルペンタノール）から選択される１種又は２種以上を用いることができる。
【００４９】
また、香料組成物中に、第２香料成分として精油を含んでいてもよい。精油には、柑橘類の精油が挙げられる。柑橘類の精油は、ミカン科の果皮から得られるものであり、中でもリモネンを主成分とする柑橘類の精油が好ましい。柑橘類の精油は、香料組成物中、例えば１０質量％以上２０質量％以下含むことができる。
【００５０】
香料組成物には、更に、鎖状モノテルペンアルコール類、セスキテルペンアルコール類、モノテルペンアルコール若しくは脂環式アルコールの酢酸エステル類、ジヒドロジャスモン酸メチル、ヨノン及びダマスコンから選択される１種又は２種以上の香料（第３香料成分）を含んでいてもよい。これにより香り立ちが更によくなり、また保存中の香りの変化を抑制することができる。
【００５１】
第３香料成分のうち、鎖状モノテルペンアルコール類としては、例えば、ゲラニオール、シトロネロール、リナロール、ジヒドロリナロール、エチルリナロール、ネロール及びミルセノールから選択される１種又は２種以上を用いることができる。また、これら化合物を含有する精油を用いることもできる。
【００５２】
セスキテルペンアルコール類としては、ファルネソールやネロリドール等の鎖状のセスキテルペンアルコール類、及び、サンタロール、セドロール、ベチベロール（混合体）、パチュリアルコール等の環状のセスキテルペンアルコール類から選択される１種又は２種以上を用いることができる。
【００５３】
酢酸エステル類としては、酢酸リナリル、酢酸ゲラニル、酢酸シトロネリル、酢酸エチルリナリル、酢酸ラヴァンジュリル、酢酸メンタニル等のモノテルペンアルコールの酢酸エステル類、及び、酢酸ｏ−ｔｅｒｔ−ブチルシクロヘキシル、酢酸ｐ−ｔｅｒｔ−ブチルシクロヘキシル等の脂環式アルコールの酢酸エステル類の１種又は２種以上が用いられる。
【００５４】
第３香料成分は、香料組成物への配合量が少量でもその効果が発揮され、第２香料成分の含有量よりも少ないことが好ましい。香料組成物中の第３香料成分の含有量は１０質量％以上が好ましく、２０質量％以下が好ましい。
【００５５】
第３香料成分に対する第２香料成分の質量比（第２香料成分／第３香料成分）は、３以上１０以下が好ましい。
【００５６】
香料組成物には、上記第１、第２、及び第３香料成分に加え、例えば「合成香料 化学と商品知識」（印藤元一著 化学工業日報社）に記載の香料成分を、本発明の効果を妨げない範囲で配合することもできる。また、温熱具１の賦香に用いられる香料組成物は、本発明の効果を妨げない範囲であれば、溶剤を含むことができる。溶剤としては、ジプロピレングリコール、エチルジグリコール、イソプロピルミリステート、ベンジルベンゾエート、トリエチルシトレート及びジエチルフタレートの１種又は２種以上を用いることができる。
【００５７】
香料組成物の使用量は、その種類や温熱具１の具体的な用途等に応じ適切に選定することができる。香料組成物の種類にもよるが、一般的な範囲として、発熱部１０の被酸化性金属１００質量部に対して、０．００５質量部以上が望ましく、０．００７質量部以上がより好ましく、０．０６質量部以下が好ましく、０．０４５質量部以下が更に好ましい。また、０．００５〜０．０６質量部が好ましく、０．００７〜０．０４５質量部がより好ましい。
【００５８】
温熱具１を賦香する方法は、香料組成物が液体である場合は、温熱具１に対して香料組成物をスプレー等で直接添加する方法がある。また、シート材料や粉体や油脂の担体等に賦香して、賦香シートや粉末香料やペースト状の賦香物とし、温熱具１に添加する方法もある。香料組成物が固体である場合は、温熱具１に対して香料組成物を適宜添加する方法がある。
【００５９】
香料組成物は、発熱部１０と袋体１１との間に施されていることが製品管理上好ましい。香料組成物を発熱部１０と袋体１１との間に施す具体的な方法としては、例えば、袋体１１の内側面に香料組成物を直接含浸させてもよいし、図１で示すように香料組成物にてシート材料を賦香してなる賦香シート１３を間に配置して施してもよいし、粉体や油脂の担体に賦香して得られた粉末香料やペースト状の賦香物をシート状にして間に施してもよい。賦香シート１３を用いた場合は、具体的には、袋体１１の内側面に隣接して配置することで施してもよいし、賦香シート１３を接着剤により袋体１１の内側面に接着して施してもよい。ここで、本明細書において「隣接して配置」とは、近くにあるが必ずしも接触していない状態、すなわち接触していてもしていなくても良い状態を意味する。
【００６０】
賦香シート１３は、紙、不織布、織布等の繊維材料を含むシート材料や、多孔質性フィルム等、吸湿・吸油性を有するシート材料を含むことが好ましい。その材質は、例えば、シルク、コットン、ウール、セルロースの中でも木材パルプを主たる原料とする一般的な紙等の天然繊維や、ポリアミド、ポリオレフィン、ポリエステル等の合成繊維とすることができる。中でも、紙等のセルロースを含有する天然繊維、例えば吸水紙が、保存中の香りの変化を効果的に抑制させることができ、製造直後と同等の良好な香りを呈すると共に、軽量化を図ることが可能な点で好ましい。
【００６１】
袋体１１内において、発熱部１０は、図１で示すように、収容体１２に収容されていてもよい。収容体１２は少なくとも一部に通気性を有する。図１で示す例では、具体的には、収容体１２は、第１収容体シート１２ａと第２収容体シート１２ｂとの周縁部を互いに接合して形成された形状を有している。収容体１２は、接合した周縁部よりも内側の部分において非接合状態になっており、それによって、発熱部１０を収容する単一の空間が形成されている。
【００６２】
本発明では、第２収容体シート１２ｂの通気度を、第１収容体シート１２ａの通気度よりも大きくすることもできる。これにより、発熱部中の活性炭の香料組成物への影響を一層抑制することが可能になる。すなわち、第２収容体シート１２ｂの通気度を第１収容体シート１２ａの通気度の２倍以上、更に５倍以上、特に１０倍以上とすることが好ましい。
なお、通気度はＪＩＳ  Ｐ８１１７によって測定される値であり、一定の圧力のもとで１００ｍｌの空気が６．４２ｃｍ2の面積を通過する時間で定義される。
【００６３】
第１収容体シート１２ａは、空気及び水蒸気の透過が可能なように通気性を有していてよい。一方、第２収容体シート１２ｂは、第１収容体シート１２ａよりも難通気性であるか、又は非通気性であってよい。第２収容体シート１２ｂが難通気性である場合、該第２収容体シート１２ｂの通気度を、５，０００秒以上とすることが好ましく、１０，０００秒以上とすることが更に好ましく、２０，０００秒以上とすることが一層好ましく、３０，０００秒以上とすることが更に一層好ましい。一方、第１収容体シート１２ａの通気度は、第２収容体シート１２ｂが非通気性であるか又は難通気性であるかを問わず、１，０００秒以上５０，０００秒以下であることが好ましい。
【００６４】
第１収容体シート１２ａ及び第２収容体シート１２ｂの具体的な材料としては、通気度を支配しかつ粉体の漏れ出しを防止する等の点で、メルトブローン不織布や透湿性フィルムが好適に用いられる。なお、透湿性フィルムとしては、例えば熱可塑性樹脂及び該樹脂と相溶性のない有機又は無機のフィラーの溶融混練物をフィルム状に成形し、一軸又は二軸延伸して得られた微細な多孔質構造を有するものを用いることができる。なお、前述の袋体１１に用い得る通気性シートや難通気性シートであっても良い。第１収容体シート１２ａ及び第２収容体シート１２ｂは、１枚のシート材から構成されていてもよいし、複数のシート材の積層体から構成されていてもよい。
【００６５】
発熱部１０が、図１で示すように、成形シート１０ａと保水シート１０ｂとを備える場合、使用時の軽快さを向上させると共に十分な温熱効果を付与する観点から、肌等の適用部位から遠い側、具体的には、第２収容体シート１２ｂ側に保水シート１０ｂを配置させることが好ましい。
【００６６】
香料組成物は、前述のとおり、発熱部１０と袋体１１との間に施されていると好ましいが、収容体１２と袋体１１との間に施されているとより好ましい。香料組成物と発熱部１０との間に第２収容体シート１２ｂが介在すると、香料組成物と発熱部１０との距離が遠くなるため、活性炭の影響を物理的に抑制することができる。
【００６７】
香料組成物を収容体１２の外側面に施す具体例としては、収容体１２の外側面のシートに香料組成物を直接塗布してもよい。なお、収容体１２の外側面のシートを賦香シートと同等のものとし、このシートに香料組成物を施してもよい。すなわち、接着剤や熱融着等の方法を用いて第２収容体シート１２ｂの外側面に賦香シートと同等のシートを積層し、収容体１２の外側面のシートを賦香シートと同等のものとしてもよい。これにより、シートによる温度阻害をもたらさず十分な温熱効果を付与することができるとともに、賦香が容易であり、香料組成物の香り立ちが極めて高くなり、香りの変化を一層効果的に抑制することも可能となる。賦香シート１３を用いた場合は、図示するように収容体１２に隣接して配置することが好ましい。なお、前述のとおり、本明細書において「隣接して配置」とは、近くにあるが必ずしも接触していない状態、すなわち接触していてもしていなくても良い状態を意味する。
【００６８】
第１収容体シート１２ａを肌等の適用部位に近い側に位置するものとし第２収容体シート１２ｂを適用部位から遠い側に位置するものとした場合、賦香シート１３を、適用部位から遠い側に位置する第２収容体シート１２ｂ側の外側面に配するあるいは外側面に施すことにより、使用時の軽快さを向上させると共に十分な温熱効果を適用部位に付与し、同時に良好な香り立ちを達成することが可能である。
【００６９】
温熱具１は、その使用前は、その全体が酸素バリア性を有する包装材（図示せず）で密封されることが好ましい。
【００７０】
温熱具１によれば、１−（５，５−ジメチルシクロヘキセン−１−イル）−４−ペンテン−１−オン及び２，４，４，７−テトラメチル−６−オクテン−３−オンから選択される１種以上のケトン系香料を香料組成物全体に対して１質量％以上１５質量％以下含む香料組成物により賦香されているため、使用時における香り立ちがよく、かつ、香りの安定性に優れ、保存により香調の変化の少ない温熱具となる。また、温熱具１は発熱特性の観点からも優れている。
【００７１】
温熱具１のより具体的な一例として、蒸気温熱具１００について以下に説明する。図２には、蒸気温熱具１００の平面図が示されている。この蒸気温熱具１００は、いわゆるアイマスクタイプのものであり、ヒトの目及びその周囲に当接させて、所定温度に加熱された水蒸気（以下、「蒸気温熱」とも言う。）を目及びその周囲に付与するために用いられるものである。この蒸気温熱具１００は前述の第１香料成分及び第２香料成分を含有する香料組成物に賦香されている。
【００７２】
蒸気温熱具１００は、本体部１０１と、耳が挿入される孔１０４が形成された耳掛け部１０２とを有している。本体部１０１は、長手方向Ｘとこれに直交する幅方向Ｙを有する横長の形状をしている。本体部１０１は略長円形をしている。耳掛け部１０２は一対で用いられ、各耳掛け部１０２は本体部１０１の長手方向（Ｘ方向）の各端部にそれぞれ取り付けられている。蒸気温熱具１００は、各耳掛け部１０２を着用者の耳に掛けて、本体部１０１を着用者の両目を覆うように装着される。この着用状態下、蒸気温熱具１００から発生した蒸気温熱が着用者の目に施され、また香気成分が揮散し、それらによって目の疲れや充血、眼精疲労が緩和され、またリラックス感が得られる。更に入眠感も誘発される。
【００７３】
図３には、蒸気温熱具１００の分解斜視図が示されている。同図においては、耳掛け部１０２は本体部１０１上に配置されている。また図４には、蒸気温熱具１００のＸ方向に沿う断面図が示されている。蒸気温熱具１００の本体部１０１は、発熱部１２１と、該発熱部１２１を収容する袋体１１０とを有する。発熱部１２１は、少なくとも一部に通気性を有する収容体１２２内に収容されて発熱体１２０を構成している。発熱部１２１は図１の発熱部１０に対応し、袋体１１０が図１の袋体１１に対応する。
【００７４】
発熱部１２１は、発熱部１１と同じ態様である。すなわち、発熱部１２１は、被酸化性金属、活性炭及び水を少なくとも含むが、さらに反応促進剤を含むことが好ましい。発熱部１２１は一層であっても積層構造であってもよいし、図１で示すような二層構造であってもよい。
【００７５】
蒸気温熱具１００の賦香に用いられる香料組成物は、図１の温熱具１で使用しうる香料組成物と同様であり、香料組成物全体に対して１質量％以上１５質量％以下の第１香料成分及び第２香料成分を含有するものであればよい。これにより、使用時に蒸気温熱を発生させるとともに柑橘の芳香を呈する蒸気温熱具１００にすることができる。第２香料成分は、香料組成物中に５５質量％以上８５質量％以下含むことが好ましい。
【００７６】
蒸気温熱具１００では、袋体１１０は、着用者の肌に近い側に位置する第１袋体シート１１０ａと、着用者の肌から遠い側に位置する第２袋体シート１１０ｂとを有している。
【００７７】
第２袋体シート１１０ｂは、内部が透けて見えてしまうことを防止する観点や保温の観点から少なくとも一部が坪量２０ｇ／ｍ2以上２００ｇ／ｍ2以下のシートであると好ましく、特に第２袋体シート１１０ｂの全部が坪量２０ｇ／ｍ2以上２００ｇ／ｍ2以下のシートであることがより好ましい。
【００７８】
また、第１袋体シート１１０ａも第２袋体シート１１０ｂと同様の理由から少なくとも一部が坪量２０ｇ／ｍ2以上２００ｇ／ｍ2以下であるとよく、第１袋体シート１１０ａの全部が坪量２０ｇ／ｍ2以上２００ｇ／ｍ2以下のシートであることがより好ましい。
【００７９】
使用時の温感及び使用感を高める観点から、坪量は、肌に遠い側の第２袋体シート１１０ｂが肌に近い側の第１袋体シート１１０ａと同じか又はそれよりも小さい方が好ましい。第１袋体シート１１０ａ及び第２袋体シート１１０ｂの厚み、構成繊維の太さは、適切に選択すればよい。
【００８０】
第１袋体シート１１０ａ及び第２袋体シート１１０ｂは同形であり、略長円形をしている。そして、第１袋体シート１１０ａ及び第２袋体シート１１０ｂの外形が本体部１０１の外形をなしている。第１袋体シート１１０ａ及び第２袋体シート１１０ｂはそれらを重ね合わせ、それらの周縁部を接合し、かつＸ方向の中央部をＹ方向に沿って接合することで（図３の点々部分）、内部に２つの空間を有する袋体１１０となされる。第１袋体シート１１０ａ及び第２袋体シート１１０ｂを接合するためには、例えばホットメルト接着剤を用いることができる。
【００８１】
袋体１１０には、そのＸ方向に延びる２つの長辺の中央部の位置において、該長辺からＹ方向に沿って内方に切れ込んだ略Ｖ字形のノッチ部１１３ａ，１１３ｂが形成されている。ノッチ部１１３ａは、蒸気温熱具１００を装着したときに、着用者の眉間又はその近傍に位置する。ノッチ部１１３ｂは、蒸気温熱具１００を装着したときに、着用者の鼻梁に位置する。したがって、ノッチ部１１３ａよりもノッチ部１１３ｂの方が切れ込みの程度が大きくなっている。なお、図２に示すノッチ部１１３ａ，１１３ｂは、それらの少なくとも一方がスリットであってもよい。
【００８２】
図３、４には、発熱部１２１が、少なくとも一部に通気性を有する収容体１２２内に収容されて発熱体１２０を構成したものが、更に袋体１１０に収容された蒸気温熱具１００の例を図示する。この例では、具体的には、収容体１２２は、第１収容体シート１２２ａと第２収容体シート１２２ｂとの周縁部を互いに接合して形成された形状を有している。収容体１２２は、接合した周縁部よりも内側の部分において非接合状態になっており、それによって、発熱部１２１を収容する単一の空間が形成されている。収容体１２２が図１の収容体１２に対応し、具体的には、第１収容体シート１２２ａが図１の第１収容体シート１２ａに対応し、第２収容体シート１２２ｂが第２収容体シート１２ｂに対応する。
【００８３】
香料組成物は、発熱部１２１と袋体１１０との間に施されていると好ましく、袋体１１０の内側から前記発熱部までの間に施されているとより好ましく、収容体１２２の外側面に施されていると更に好ましく、中でも第２収容体シート１２２ｂの外側面に施されていると殊更に好ましい。香料組成物と発熱部１２１との間に第２収容体シート１２２ｂが介在すると、香料組成物と発熱部１２１との距離が遠くなるため、活性炭の影響を物理的に抑制することができる。
【００８４】
香料組成物を収容体１２２の外側面に施す具体例としては、収容体１２２の外側面のシートに香料組成物を直接塗布してもよい。なお、収容体１２２の外側面のシートを賦香シートと同等のものとし、このシートに香料組成物を施してもよい。すなわち、接着剤や熱融着等の方法を用いて第２収容体シート１２２ｂの外側面に賦香シートと同等のシートを積層し、収容体１２２の外側面のシートを賦香シートと同等のものとしてもよい。これにより、シートによる温度阻害をもたらさず十分な温熱効果を付与することができるとともに、賦香が容易であり、香料組成物の香り立ちが極めて高くなり、香りの変化を一層効果的に抑制することも可能となる。賦香シート１３０は、賦香シート１３と同じ態様である。賦香シート１３０を用いた場合は、具体的には、袋体１１０の内側面に隣接して配置することで施してもよいし、賦香シート１３０を接着剤により袋体１１０の内側面に接着して施してもよい。前述のとおり、本明細書において「隣接して配置」とは、近くにあるが必ずしも接触していない状態、すなわち接触していてもしていなくても良い状態を意味する。
【００８５】
香料組成物を袋体１１０の内側から発熱体１２０の間に施す他の具体例としては、例えば、粉体や油脂の担体に賦香して得られた粉末香料やペースト状の賦香物をシート状にして間に施してもよいし、図４で示すように香料組成物にてシート材料を賦香してなる賦香シート１３０を間に配置して施してもよいし、袋体１１０の内側面に香料組成物を直接塗布してもよい。
【００８６】
第１収容体シート１２２ａを着用者の肌に近い側に位置するものとし第２収容体シート１２２ｂを着用者の肌から遠い側に位置するものとした場合、賦香シート１３０を着用者の肌から遠い側に位置する第２収容体シート１２２ｂ側の外側面に配するあるいは外側面に施すことにより、使用時の軽快さを向上させると共に十分な温熱効果を着用者の肌へ付与し、同様に良好な香り立ちを達成することが可能である。
【００８７】
第１収容体シート１２２ａ及び第２収容体シート１２２ｂの具体的な材料としては、第１収容体シート１２ａ、第２収容体シート１２ｂと同様なものを選択することができる。また、第１収容体シート１２２ａ及び第２収容体シート１２２ｂの通気度は、第１収容体シート１２ａ、第２収容体シート１２ｂと同様に設定することができる。
【００８８】
図４には、袋体１１０と発熱体１２０との固定の状態が示されている。発熱体１２０は、第２袋体シート１１０ｂの内側面と、第２収容体シート１２２ｂの外側面とが固定部１０３ａ、１０３ｂにより接続されることで、発熱体１２０が袋体１１０の内部に固定される。固定部１０３ａ、１０３ｂは、例えば、接着剤やヒートシール等とすることができる。
【００８９】
蒸気温熱具１００における耳掛け部１０２は、その使用前の状態では、図３及び図４に示すように、本体部１０１における第１袋体シート１１０ａ上に配置されている。蒸気温熱具１００を使用するときには、図２に示すように、耳掛け部１０２をＸ方向の外方へ向けて反転させて、開いた状態にする。使用前の状態、すなわち左右の耳掛け部１０２が本体部１０１上に位置している状態においては、左右の耳掛け部１０２によって形成される輪郭は、本体部１０１の輪郭とほぼ同じになっている。
【００９０】
本実施形態の蒸気温熱具１００は、その使用前は、その全体が酸素バリア性を有する包装材（図示せず）によって包装されて、発熱部１２１が空気中の酸素と接触しないようになっている。この包装材を構成するフィルムは特に限定されないが、具体的にはアルミニウム等の金属フィルムや、ポリプロピレン等のポリオレフィン、ＰＥＴ、エチレンビニルアルコール共重合体、エチレン酢酸ビニル共重合体、ポリアクリロニトリル等の合成樹脂フィルム、又はこれらの合成樹脂フィルムにセラミック若しくはアルミニウム等を蒸着したフィルムが挙げられる。また、包装材は、酸素透過係数（ＡＳＴＭ  Ｄ３９８５）が好ましくは１０ｃｍ3・ｍｍ／（ｍ2・ｄａｙ・ＭＰａ）以下、より好ましくは２ｃｍ3・ｍｍ／（ｍ2・ｄａｙ・ＭＰａ）以下であるものを用いることができる。
【００９１】
図５には、蒸気温熱具１００の別の例として、蒸気温熱具２００を示す。蒸気温熱具１００は、袋体の内側から発熱部までの間に、特に収容体の外側面に香料組成物が施された例を挙げたが、蒸気温熱具２００では、袋体１１０の内側から発熱体２２０までの間に、特に収容体の外側に別途配されたシート材料に香料組成物が施された例を示す。具体的には、図５に示す蒸気温熱具２００においては、袋体１１０の内側から発熱体２２０までの間に、賦香シート２３０が配されている。特に、袋体１１０における第２袋体シート１１０ｂと、発熱体２２０との間に、賦香シート２３０が隣接して配置されていると好ましい。賦香シート２３０には、前述の第１香料成分及び第２香料成分を含有する香料組成物が施されており、香料組成物中に第１香料成分の含有量は、香料組成物全体に対して１質量％以上１５質量％以下である。
【００９２】
賦香シート２３０は、第２袋体シート１１０ｂ及び発熱体２２０の収容体２２２と非接着状態になっており、隣接して配置された状態である。あるいは第２袋体シート１１０ｂと、位置ずれが起こらない程度に軽度に接着されている。賦香シート２３０を構成するシート材料としては、収容体２２２と同形でもよく、あるいは収容体２２２よりも小さな形状のものでもよい。中でも、発熱部２２１と同じ形状であると、発熱による香りの揮散が効率的で好ましい。
【００９３】
発熱部２２１は、発熱部１０と同じ態様である。発熱部２２１は一層であっても積層構造であってもよいし、図１で示すような二層構造であってもよい。
【００９４】
発熱体２２０は、固定部２０３により袋体１１０に固定されている。上記説明した以外は、蒸気温熱具２００は蒸気温熱具１００と同様であり、蒸気温熱具１００と同様な効果を得ることができる。例えば、第１収容体シート２２２ａは第１収容体シート１２２ａに対応し、第２収容体シート２２２ｂは第２収容体シート１２２ｂに対応する。
【００９５】
なお、蒸気温熱具１００及び蒸気温熱具２００は、着用者の両目に当接させて使用するアイマスクを例に挙げて説明したが、これに代えて、これを着用者の身体、例えば肩、腰、肘、膝等に当接させて用いてもよい。あるいは衣類に貼り付けて用いてもよい。蒸気温熱具１００を着用者の身体に当接させる場合には、耳掛け部１０２に代えて、粘着剤等の固定手段を設ければよい。すなわち、着用者の身体に当接させて用いる場合には、袋体１１０における第１袋体シート１１０ａの表面に、粘着剤等の固定手段を設ければよく、着用者の衣類に貼り付けて用いる場合には、袋体１１０における第２袋体シート１１０ｂの表面に、粘着剤等の固定手段を設ければよい。
【００９６】
蒸気温熱具１００、２００によれば、１−（５，５−ジメチルシクロヘキセン−１−イル）−４−ペンテン−１−オン及び２，４，４，７−テトラメチル−６−オクテン−３−オンから選択される１種又は２種のケトン系香料（第１香料成分）を香料組成物全体に対して１質量％以上１５質量％以下含み、更にテルペン系炭化水素及び芳香族アルコールから選択される１種又は２種以上の香料成分（第２香料成分）を含む香料組成物により賦香されているため、使用時における香り立ちがよく、香りの安定性に優れ、保存による香調の変化の少ない温熱具となる。従来、テルペン系炭化水素や芳香族アルコールは香りの安定性が低いため温熱具等香料の安定性に悪影響を及ぼすものに対して含有させることは難しいことを、本発明者らは知見した。特に、テルペン系炭化水素や芳香族アルコール等の香料成分を多量に含む場合、課題が大きいことを知見した。しかしながら、上記特定のケトン系香料を所定範囲含ませることにより、香料組成物中に５５質量％以上のテルペン系炭化水素及び芳香族アルコールから選択される１種又２種以上の第２香料成分を含有させた場合においても、保存後も香り立ちがよい蒸気温熱具となる。また、蒸気温熱具１００、２００は発熱特性の観点からも優れている。
【００９７】
以上、図面を参照して本発明の実施形態について述べたが、これらは本発明の例示であり、上記以外の様々な構成を採用することもできる。上述した実施形態に関し、本発明はさらに以下の態様を含む。 
【００９８】
＜１＞被酸化性金属、活性炭及び水を備える発熱部と、少なくとも一部が通気性であり、前記発熱部を収容する袋体と、を有する温熱具であって、該温熱具は、１−（５，５−ジメチルシクロヘキセン−１−イル）−４−ペンテン−１−オン及び２，４，４，７−テトラメチル−６−オクテン−３−オンから選択される１種又は２種の第１香料成分、並びに、テルペン系炭化水素及び芳香族アルコールから選択される１種又は２種以上の第２香料成分を含有する香料組成物にて賦香されており、前記香料組成物中の前記第１香料成分の含有量が、該香料組成物全体に対して１質量％以上１５質量％以下である、温熱具である。
【００９９】
＜２＞前記第２香料成分は、好ましくは、ミルセン、ファルネセン、シトラール、ピネン、リモネン、α−テルピネン、カンフェン、フェランドレン、ターピネン、ターピノレン、ｐ-サイメン、セドレン、カリオフィレン、ベンジルアルコール、フェニルエチルアルコール、パンプルフルール（２−メチル−４−フェニルペンタノール）、ジメチルベンジルカルビノール及びフェニルヘキサノール（３−メチル−５−フェニルペンタノール）から選択される１種又は２種以上であり、より好ましくは、前記第２香料成分として少なくともリモネンを含む前記＜１＞に記載の温熱具。
＜３＞香料組成物中の前記第２香料成分の含有量が、該香料組成物全体に対して５５質量％以上８５質量％以下であり、好ましくは６０質量％以上７５質量％以下である前記＜１＞又は＜２＞に記載の温熱具。
＜４＞前記香料組成物中の前記第１香料成分の質量に対する、前記発熱部中の前記活性炭の質量比が、１０以上８００以下であり、好ましくは１３．５以上７２０以下であり、より好ましくは１８以上５４０以下である前記＜１＞〜＜３＞いずれか１に記載の温熱具。
＜５＞前記香料組成物が、前記袋体の内側から前記発熱部までの間に施されている、請求項前記＜１＞〜＜４＞いずれか１に記載の温熱具。
＜６＞前記発熱部が、少なくとも一部に通気性を有する収容体内に収容されて発熱体を構成しており、前記袋体の内側から前記発熱部までの間に、前記香料組成物が施されている前記＜５＞に記載の温熱具。
＜７＞前記香料組成物が、前記収容体の外側面に施されている前記＜６＞に記載の温熱具。
＜８＞前記香料組成物が、賦香シートにて施されている前記＜１＞〜＜７＞いずれか１に記載の温熱具。
＜９＞前記賦香シートが、前記香料組成物をシート材料に施したものである前記＜８＞記載の温熱具。
＜１０＞前記シート材料が、セルロースを含有するものである前記＜９＞記載の温熱具。
＜１１＞前記発熱部は、前記被酸化性金属の酸化に伴い水蒸気を発生するものである前記＜１＞乃至＜１０＞いずれか１に記載の温熱具。
＜１２＞着用者の両目に当接させて使用する前記＜１＞乃至＜１１＞いずれか１に記載の温熱具の使用方法。
【実施例】
【０１００】
以下、実施例により本発明を更に詳細に説明する。しかしながら本発明の範囲は、かかる実施例に制限されない。特に断らない限り、「％」及び「部」はそれぞれ「質量％」及び「質量部」を意味する。
【０１０１】
実施例１〜３、比較例１、２
図２ないし図４に示す構造の蒸気温熱具を以下の（１）ないし（３）の手順で作製した。
（１）シート状発熱部の作製
＜原料組成物配合＞
・被酸化性金属：鉄粉、同和鉱業株式会社製、商品名「ＲＫＨ」：８３％
・繊維状物：パルプ繊維（フレッチャー チャレンジ カナダ社製、商品名  ＮＢＫＰ「Ｍａｃｋｅｎｚｉ（ＣＳＦ２００ｍｌに調整）」）：８％
・活性炭：平均粒径４５μｍ、（日本エンバイロケミカル株式会社製、商品名「カルボラフィン」）：９％
【０１０２】
前記原料組成物の固形分（被酸化性金属、繊維状物及び活性炭の合計）１００部に対し、カチオン系凝集剤であるポリアミドエピクロロヒドリン樹脂（星光ＰＭＣ（株）製、商品名「ＷＳ４０２０」）０．７部及びアニオン系凝集剤であるカルボキシメチルセルロースナトリウム（第一工業製薬（株）製、商品名「ＨＥ１５００Ｆ」）０．１８部を添加した。更に、水（工業用水）を、固形分濃度が１２％となるまで添加しスラリーを得た。
【０１０３】
＜抄造条件＞
前記スラリーを用い、これを抄紙ヘッドの直前で０．３％に水希釈し、傾斜型短網抄紙機によって、ライン速度１５ｍ／分にて抄紙して湿潤状態の成形シートを作製した。
【０１０４】
＜乾燥条件＞
湿潤状態の成形シートをフェルトで挟持して加圧脱水し、そのまま１４０℃の加熱ロール間に通し、含水率が５％以下になるまで乾燥した。乾燥後の坪量は４５０ｇ／ｍ2、厚さは０．４５ｍｍであった。このようにして得られた成形シートの組成を熱重量測定装置（セイコーインスツルメンツ社製、ＴＧ／ＤＴＡ６２００）を用いて測定した結果、鉄８３％、活性炭９％、パルプ８％であった。
【０１０５】
＜シート状発熱部の作製＞
得られた成形シートに、該成形シート１００部に対し電解液量が４２部となるように、下記電解液を注入した。毛管現象を利用して成形シート全体に電解液を浸透させて、矩形シート状の発熱部（坪量：４５０ｇ／ｍ２、寸法４９ｍｍ×４９ｍｍ）を得た。
【０１０６】
＜電解液＞
電解質：精製塩（ＮａＣｌ）
水：工業用水
電解液濃度：５％
【０１０７】
（２）発熱体の作製
収容体における第１収容体シートを、炭酸カルシウムを含む多孔質の延伸ポリエチレン透湿性フィルム（ＪＩＳ  Ｐ８１１７による通気度２，５００秒）から構成した。第２収容体シートは、ポリエチレン製の非透湿フィルムから構成した。該第２収容体シートの一面に吸水紙（坪量３５ｇ/ｍ２）を積層して、上述のシート状発熱部の１枚を間にして、第１収容体シートと第２収容体シートとを、吸水紙が外方を向くように重ね、周縁部においてシートどうしを接合し、矩形の発熱体を得た。そして吸水紙に、以下の表１に示す香料組成物を含浸させた。香料組成物の含浸量は、発熱部の固形分量１．０８ｇに対して１８ｍｇとした。
【０１０８】
（３）蒸気温熱具の作製
第１袋体シートは、ポリプロピレン不織布（ニードルパンチ法、坪量８０ｇ／ｍ２）、第２袋体シートは、ポリエチレンテレフタレート不織布（エアスルー法、坪量３０ｇ／ｍ2）を用い、図３に示すように、両袋体シートの間に、前記で得られた発熱体を２個挟み、周縁部及び縦中心線近傍において第１袋体シート、第２袋体シートどうしを接合した。更に、第１袋体シートの外側面に、図２に示すように不織布製の耳掛け部を取り付け、目的とする蒸気温熱具を得た。以上の各操作は、酸素が存在しない雰囲気下で行った。
【０１０９】
表１に示す実施例、比較例の各香料組成物をそれぞれ上述の方法で賦香した後、得られた蒸気温熱具を、第１袋体シートが内側になるように縦中心線Ｌで二つに折り畳み、酸素バリア性を有する袋（ＰＥＴ１３μｍ／アルミニウム７μｍ／ポリプロピレン４０μｍの積層フィルム）の中に密閉封入し、香料成分の安定化のため一晩放置した。なお、第１香料成分に対する活性炭の質量比（活性炭／第１香料成分）を表１に示した。
【０１１０】
【表１】
0005945166.tif 000002
【０１１１】
表１に示す評価は以下のように行った。
〔評価〕
１）香り強度
一晩放置した蒸気温熱具（これを賦香直後の蒸気温熱具という）、及び、５０℃の恒温槽で１ヶ月間保存した蒸気温熱具の２種類について、個装容器（ピロー）を開封して、蒸気温熱具の発熱及び水蒸気発生を開始させ、開封から５分後における香りの強さについて以下の基準で評価した。
匂いの専門パネル２名に、各実施例及び各比較例の一晩放置したものと（これを賦香直後の蒸気温熱具という）、５０℃の恒温槽で１ヶ月間保存したものの２種類について、ピローを開封して５分後の香りをそれぞれ嗅がせ、「香りの強度」について１〜５までの５段階絶対評価を行わせ、平均した結果を表１に示した。
＜香りの強度の評価基準：５段階絶対評価＞
１：強度がかなり不足
２：強度が不足
３：強度が必要レベルに達している
４：強度がある
５：強度が十分にある
【０１１２】
２）柑橘香の特徴
一晩放置した蒸気温熱具、及び、５０℃の恒温槽で１ヶ月間保存した蒸気温熱具の２種類について、ピローを開封して、蒸気温熱具の発熱及び水蒸気発生を開始させ、開封から５分後における柑橘類（シトラス）の香りについて以下の基準で評価した。
＜柑橘類の香りの評価基準：５段階絶対評価＞
１：柑橘香の特徴がかなり乏しい
２：柑橘香の特徴がない
３：柑橘香の特徴が必要レベルに達している
４：柑橘香の特徴がある
５：柑橘香の特徴が十分にある
【０１１３】
３）最高温度
ＪＩＳ  Ｓ４１００に準拠した測定機を用いて、蒸気温熱具の第１の袋体シート側を測定面に貼り付けて、発熱測定を行った。表１中の単位は「℃」である。
【０１１４】
比較例１の蒸気温熱具は賦香直後から香り強度及び柑橘香の特徴が低く、保存後においては香り強度がかなり不足し柑橘香の特徴も乏しかったのに対し、実施例１〜３の蒸気温熱具は、賦香直後及び保存後のいずれにおいても、香り強度及び柑橘香の特徴ともに良好だった。比較例２の蒸気温熱具は第１香料成分が多すぎて賦香直後及び保存後のいずれにおいても柑橘香の特徴がかなり乏しく、保存後の発熱特性の低下が見られた。
【符号の説明】
【０１１５】
１        温熱具
１０      発熱部
１０ａ    成形シート
１０ｂ    保水シート
１１      袋体
１１ａ    第１袋体シート
１１ｂ    第２袋体シート
１２      収容体
１２ａ    第１収容体シート
１２ｂ    第２収容体シート
１３      賦香シート
１００    蒸気温熱具
１０１    本体部
１０２    耳掛け部
１０３ａ  固定部
１０３ｂ  固定部
１０４    孔
１１０    袋体
１１０ａ  第１袋体シート
１１０ｂ  第２袋体シート
１１３ａ  ノッチ部
１１３ｂ  ノッチ部
１２０    発熱体
１２１    発熱部
１２２    収容体
１２２ａ  第１収容体シート
１２２ｂ  第２収容体シート
１３０    賦香シート
２００    蒸気温熱具
２０３    固定部
２２０    発熱体
２２１    発熱部
２２２    収容体
２２２ａ  第１収容体シート
２２２ｂ  第２収容体シート
２３０    賦香シート
Ｌ        中心線
【図１】
0005945166.tif 000003
【図２】
0005945166.tif 000004
【図３】
0005945166.tif 000005
【図４】
0005945166.tif 000006
【図５】
0005945166.tif 000007